(57)【要約】【課題】ユーザにより指定されたコンテンツの再生を中断することなく、再生装置の省力化、操作性の向上を図る。【解決手段】本発明に係るオーディオ装置１によれば、システムマイコン１０は、操作部１３によりスリープタイマ機能がＯＮに設定されると、再生対象として指定された楽曲群の残りの再生時間を算出し、算出された再生時間に基づいて、再生時間の経過とともに徐々に再生音量を小さくしていき、再生終了時点で再生音量を無音とするように各時点の再生音量を決定し、決定された再生音量に従って増幅部２１により出力される音量を制御する。指定された楽曲群の再生が終了すると、システムマイコン１０は、電源部２５による電源供給を遮断してオーディオ装置１の電源をＯＦＦにする。【選択図】図３
2010198692.tif 000002
【特許請求の範囲】
【請求項１】
再生対象の一又は複数のコンテンツを指定するための入力手段と、
前記入力手段により指定されたコンテンツを再生する再生手段と、
前記指定されたコンテンツ全体の再生終了時点において再生音量が最小となるように再生音量を徐々に小さくする制御を行い、前記指定されたコンテンツ全体の再生終了時点で装置の電源をオフにする制御手段と、
を備える再生装置。
【請求項２】
前記指定されたコンテンツ全体の再生終了時点における最小の再生音量は無音または所定の音量である請求項１に記載の再生装置。
【請求項３】
前記制御手段は、前記指定されたコンテンツ全体の再生終了時点より所定時間前から再生音量を徐々に小さくする制御を行う請求項１又は２に記載の再生装置。
【請求項４】
前記入力手段は、更に、前記指定されたコンテンツの再生終了時点で前記再生装置の電源を自動的にオフにする機能の設定指示を入力可能に構成され、
前記制御手段は、前記入力手段により前記機能が設定された場合に、前記指定されたコンテンツ全体の再生終了時点において再生音量が最小となるように再生音量を徐々に小さくする制御を行い、前記指定されたコンテンツ全体の再生終了時点で装置の電源をオフにする請求項１〜３の何れか一項に記載の再生装置。
【請求項５】
発光手段を更に備え、
前記制御手段は、前記再生音量に対応した光量で前記発光手段を発光させる請求項１〜４の何れか一項に記載の再生装置。
【請求項６】
再生対象の一又は複数のコンテンツを指定するための入力手段と、前記入力手段により指定されたコンテンツを再生する再生手段と、制御手段と、を備える再生装置における再生方法であって、
前記制御手段により、前記指定されたコンテンツ全体の再生終了時点において再生音量が最小となるように再生音量を徐々に小さくする制御を行い、前記指定されたコンテンツ全体の再生終了時点で装置の電源をオフにする工程を含む再生方法。
【請求項７】
コンテンツを再生する再生装置に用いられるコンピュータを、
再生対象の一又は複数のコンテンツを指定するための入力手段、
前記入力手段により指定されたコンテンツを再生する再生手段、
前記指定されたコンテンツ全体の再生終了時点において再生音量が最小となるように再生音量を徐々に小さくする制御を行い、前記指定されたコンテンツ全体の再生終了時点で装置の電源をオフにする制御手段、
として機能させるためのプログラム。
【発明の詳細な説明】
【技術分野】
【０００１】
本発明は、再生装置、再生方法及びプログラムに関する。
【背景技術】
【０００２】
ユーザが設定した時刻に合わせて、楽曲等のコンテンツを再生したり終了したりするタイマ機能を有する再生装置は周知である。このようなタイマ機能の中で、スリープタイマと呼ばれる機能は、ユーザが設定した時間の経過後、又はユーザが設定した時刻に、コンテンツの再生を終了するとともに再生装置の電源がオフとなる機能である。
【０００３】
例えば、ユーザが選択メニューから「３０分後」を選択してスリープタイマ機能を動作させると、スリープタイマ機能の動作開始より３０分経過した時点で、コンテンツが再生されていればそのコンテンツの再生が停止されるとともに、再生装置の電源がオフとなる。
また、ユーザがタイマ設定時刻として「０：３０」を設定してスリープタイマ機能を動作させると、０：３０となった時点で、コンテンツが再生されていればそのコンテンツの再生が停止されるとともに、再生装置の電源がオフとなる。
【０００４】
図４に、従来のスリープタイマ機能の動作のフローチャートを示す。図４に示すように、スリープタイマ機能の動作が開始されると、コンテンツが再生中であるか否かが判断される（ステップＳ１１）。コンテンツが再生中である場合（ステップＳ１１；ＹＥＳ）、処理はステップＳ１３に移行する。コンテンツが再生中ではない場合（ステップＳ１１；ＮＯ）、ユーザの操作に応じてコンテンツの再生が開始され（ステップＳ１２）、処理はステップＳ１３に移行する。
【０００５】
ステップＳ１３においては、タイマ設定された時刻の到来又はタイマ設定された時間の経過が待機され、タイマ設定された時刻が到来するか又はタイマ設定された時間が経過した場合（ステップＳ１３；ＹＥＳ）、コンテンツが再生中であるか否かが判断される。コンテンツが再生中である場合は（ステップＳ１４；ＹＥＳ）、コンテンツの再生が終了され（ステップＳ１５）、装置の電源がオフされる（ステップＳ１６）。コンテンツが再生中ではない場合は（ステップＳ１４；ＮＯ）、そのまま装置の電源がオフされる（ステップＳ１６）。
【０００６】
また、特許文献１には、予め設定した時間よりも早くコンテンツ再生が終了する場合にはコンテンツ再生終了時に電源をオフ状態とすることで、消費電力の低減を図る技術が記載されている。
【先行技術文献】
【特許文献】
【０００７】
【特許文献１】特開２００５−３４７７９７号公報
【発明の概要】
【発明が解決しようとする課題】
【０００８】
しかしながら、従来の技術においては、設定した時間が経過するか又は設定した時刻が到来すると、コンテンツの再生が途中であるにも拘わらず再生が終了されてしまう。再生音量を徐々に下げていく機能を適用した場合は、違和感なく再生の終了が行われるが、コンテンツの再生途中で終了することには変わりはない。そのため、ユーザは、中断されて視聴できなかったコンテンツを再生するために、再度再生されなかったコンテンツを指定して再生操作を行う必要がある。その際には、再度のスリープタイマ機能の設定若しくは手動での再生停止が必要となる。
【０００９】
ユーザが最後までコンテンツを視聴した上で自動的に電源をオフにしようとすれば、コンテンツの再生時間を把握した上で、再生時間に合わせてタイマの時間を設定しなければならない。
【００１０】
本発明の課題は、ユーザにより指定されたコンテンツの再生を中断することなく、再生装置の省力化、操作性の向上を図ることである。
【課題を解決するための手段】
【００１１】
上記課題を解決するため、請求項１に記載の発明の再生装置は、
再生対象の一又は複数のコンテンツを指定するための入力手段と、
前記入力手段により指定されたコンテンツを再生する再生手段と、
前記指定されたコンテンツ全体の再生終了時点において再生音量が最小となるように再生音量を徐々に小さくする制御を行い、前記指定されたコンテンツ全体の再生終了時点で装置の電源をオフにする制御手段と、
を備える。
【００１２】
請求項２に記載の発明は、請求項１に記載の発明において、
前記指定されたコンテンツ全体の再生終了時点における最小の再生音量は無音または所定の音量である。
【００１３】
請求項３に記載の発明は、請求項１又は２に記載の発明において、
前記制御手段は、前記指定されたコンテンツ全体の再生終了時点より所定時間前から再生音量を徐々に小さくする制御を行う。
【００１４】
請求項４に記載の発明は、請求項１〜３の何れか一項に記載の発明において、
前記入力手段は、更に、前記指定されたコンテンツの再生終了時点で前記再生装置の電源を自動的にオフにする機能の設定指示を入力可能に構成され、
前記制御手段は、前記入力手段により前記機能が設定された場合に、前記指定されたコンテンツ全体の再生終了時点において再生音量が最小となるように再生音量を徐々に小さくする制御を行い、前記指定されたコンテンツ全体の再生終了時点で装置の電源をオフにする。
【００１５】
請求項５に記載の発明は、請求項１〜４の何れか一項に記載の発明において、
発光手段を更に備え、
前記制御手段は、前記再生音量に対応した光量で前記発光手段を発光させる。
【００１６】
請求項６に記載の発明は、
再生対象の一又は複数のコンテンツを指定するための入力手段と、前記入力手段により指定されたコンテンツを再生する再生手段と、制御手段と、を備える再生装置における再生方法であって、
前記制御手段により、前記指定されたコンテンツ全体の再生終了時点において再生音量が最小となるように再生音量を徐々に小さくする制御を行い、前記指定されたコンテンツ全体の再生終了時点で装置の電源をオフにする工程を含む。
【００１７】
請求項７に記載の発明のプログラムは、
コンテンツを再生する再生装置に用いられるコンピュータを、
再生対象の一又は複数のコンテンツを指定するための入力手段、
前記入力手段により指定されたコンテンツを再生する再生手段、
前記指定されたコンテンツ全体の再生終了時点において再生音量が最小となるように再生音量を徐々に小さくする制御を行い、前記指定されたコンテンツ全体の再生終了時点で装置の電源をオフにする制御手段、
として機能させる。
【発明の効果】
【００１８】
本発明によれば、ユーザにより指定されたコンテンツの再生を中断することなく、再生装置の省力化、操作性の向上を図ることが可能となる。
【図面の簡単な説明】
【００１９】
【図１】本発明に係る実施の形態のオーディオ装置１の機能構成例を示すブロック図である。
【図２】図１のシステムマイコンにおいて実行される音量・電源制御処理を示すフローチャートである。
【図３】楽曲群全体の再生終了時点までの再生音量の制御例を示す図である。
【図４】従来のスリープタイマ機能の動作を示すフローチャートである。
【発明を実施するための形態】
【００２０】
以下、図を参照して本発明の実施の形態を詳細に説明する。
まず、構成を説明する。
図１に、本発明の再生装置の一例としてのオーディオ装置１のブロック構成図を示す。  図１に示すように、オーディオ装置１は、システムマイコン１０、記憶部１１、表示部１２、操作部１３、外部入力端子１４、チューナ１５、ＣＤ（Compact Disk）メカ部１６、セレクタ１７、ＡＤＣ（Analog Digital Converter）１８、ＤＳＰ（Digital Signal Processor）１９、ＤＡＣ（Digital Analog Converter）２０、増幅部２１、出力部２２、外部Ｉ／Ｆ２３、発光部２４、電源部２５等を備えて構成されている。
【００２１】
システムマイコン１０は、ＣＰＵ（Central Processing Unit）、ＲＯＭ（Read Only Memory）及びＲＡＭ（Random Access Memory）を備える。システムマイコン１０のＣＰＵは、ＲＯＭに記憶されている各種処理プログラムや各種データを読み出してＲＡＭに展開し、展開したプログラムとの協働により各種処理を実行し、オーディオ装置１内の各部を集中的に制御する制御手段である。
【００２２】
例えば、システムマイコン１０は、操作部１３からの再生指示の入力に応じて、オーディオ装置１の各部を制御し、ＣＤメカ部１６にセットされたＣＤに記録された楽曲データの再生処理、記憶部１１に記憶された楽曲データ又は外部Ｉ／Ｆ２３を介して入力された楽曲データの再生処理、若しくは、外部入力端子１４又はチューナ１５から入力された音声信号の再生処理を行う。
また、システムマイコン１０は、操作部１３によりスリープタイマ機能が設定されると、後述する音量・電源制御処理を実行する。
【００２３】
記憶部１１は、ＨＤＤ（Hard Disk Drive）や半導体の不揮発メモリ等であり、オーディオ装置１が再生可能な楽曲データを、ＭＰ３（MPEG-1 Audio Layer-3）やＷＭＡ（Windows Media(登録商標) Audio）などの圧縮ファイル等の形式で記憶する。楽曲データは、例えば、アルバム毎、ジャンル毎、アーティスト毎等のフォルダに分類されて記憶されている。
また、記憶部１１は、記憶部１１に記憶されている楽曲データに関する楽曲情報、例えば、アーティスト名、アルバム名、フォルダ名、ファイル名、再生時間等を記憶している。
また、記憶部１１は、プレイリスト情報を記憶している。プレイリスト情報は、楽曲データを連続再生するために記憶部１１に記憶されている楽曲データの中から予め選択された楽曲データのリストをいう。
また、記憶部１１は、オーディオ装置１の各種設定情報を記憶する。例えば、イルミネーションのＯＮ／ＯＦＦの設定情報、楽曲データの再生音量（ボリューム）の設定値等を記憶する。
更に記憶部１１は、再生音量とイルミネーションの光量の対応関係を示すデータを記憶している。
【００２４】
表示部１２は、ＬＣＤ（Liquid Crystal Display）、ＶＦＤ（Vacuum Fluorescent Display）、ＥＬＤ（Electro Luminescent Display）等から構成され、システムマイコン１０からの表示信号に応じて、オーディオ装置１の動作モード情報、操作情報、設定情報、プレイリスト情報、楽曲情報等の各種情報を表示する。
【００２５】
操作部１３は、各種操作キーを備え、オーディオ装置１のユーザによる操作キーの操作に応じた操作信号をシステムマイコン１０へ出力する。操作部１３は、入力手段として機能する。
【００２６】
外部入力端子１４は、図示しない外部機器を接続する入力端子であり、接続された外部機器からの音声信号をセレクタに入力する。
【００２７】
チューナ１５は、システムマイコン１０からの制御信号に応じて、図示しないアンテナ等を介して受信したラジオ等のキャリア放送電波を選択し、選択したキャリア放送電波を音声信号としてセレクタに入力する回路である。
【００２８】
ＣＤメカ部１６は、ＣＤドライブ等の装置であり、システムマイコン１０からの制御信号に応じて、ＣＤに記録された楽曲データを読み出し、ＤＳＰ１９へ出力する。
【００２９】
セレクタ１７は、システムマイコン１０からの制御信号に応じて、外部入力端子１４から入力された音声信号又はチューナ１５から入力された音声信号を選択し、ＡＤＣ１８に出力する。  
【００３０】
ＡＤＣ１８は、入力されたアナログ信号をデジタル信号に変換して出力するＡ／Ｄ変換回路である。
【００３１】
ＤＳＰ１９は、デジタル信号処理用のマイクロプロセッサである。ＤＳＰ１９は、エンコーダ１９ａ及びデコーダ１９ｂを備える。ＤＳＰ１９は、システムマイコン１０からの制御信号に応じて、ＣＤメカ部１６又はＡＤＣ１８から入力された楽曲データをエンコーダ１９ａによりエンコードしてＭＰ３方式やＷＭＡの圧縮ファイルに変換し、記憶部１１に出力する。また、ＤＳＰ１９は、システムマイコン１０からの制御信号に応じて、記憶部１１や外部Ｉ／Ｆ２３からの圧縮ファイルをデコーダ１９ｂによりデコードし、ＤＡＣ２０に出力する。また、ＣＤメカ部１６によりＣＤから読み出された楽曲データ、又はＡＤＣ１８から入力された楽曲データをＤＡＣ２０に出力する。
【００３２】
ＤＡＣ２０は、ＤＳＰ１９から入力される楽曲データをアナログ信号に変換して出力するＤ／Ａ変換回路である。
【００３３】
増幅部２１は、ＤＡＣ２０から入力されるアナログ信号を増幅して出力部２２に出力する回路である。
【００３４】
出力部２２は、スピーカやヘッドホン、外部出力端子等、増幅部２１から入力されるアナログ信号を外部に出力する装置である。
【００３５】
外部Ｉ／Ｆ２３は、外部機器との接続インターフェースである。外部Ｉ／Ｆには、ＵＳＢ（Universal Serial Bus）などを用いた機器間接続Ｉ／Ｆ、ＬＡＮ（Local Area Network）端子などのネットワーク接続Ｉ／Ｆ、メモリカードスロット等の外部記録媒体接続Ｉ／Ｆ等が含まれる。外部Ｉ／Ｆ２３から入力された楽曲データは、記憶部１１に記憶されたり、ＤＳＰ１９により処理される。
【００３６】
発光部２４は、ＬＥＤ（Light Emitting Diode）等の光源を有し、システムマイコン１０からの制御信号に応じて発光し、再生される楽曲に応じたイルミネーションを表示する。本実施の形態においては、再生音量に応じた光量でイルミネーションが表示される。なお、イルミネーションの表示は、表示部１２のディスプレイにより行うこととしてもよい。
【００３７】
電源部２５は、図示しない商用交流電源またはバッテリであり、商用交流電源から入力された場合はＡＣ（交流）電源電力をＤＣ（直流）電源電力に変換し、システムマイコン１０からの制御命令に従って、オーディオ装置１の各部に電源供給を行う。
【００３８】
次に、オーディオ装置１の動作を説明する。
図２に、システムマイコン１０により実行される音量・電源制御処理のフローチャートを示す。音量・電源制御処理は、操作部１３によりスリープタイマ機能をＯＮにする設定指示が入力された際に実行される。本実施の形態において、スリープタイマ機能とは、操作部１３により指定された楽曲群の再生終了時点で自動的に電源部２５からの電源供給を遮断し、オーディオ装置１の電源をＯＦＦにする機能である。
【００３９】
まず、楽曲群の再生中であるか否かが判断される（ステップＳ１）。ここで、楽曲群とは、一又は複数の楽曲データを指す。楽曲群の再生中であると判断されると（ステップＳ１；ＹＥＳ）、再生中の楽曲群全体の残りの再生時間が算出される（ステップＳ２）。ここで、システムマイコン１０は内部クロックを有しており、内部クロックに基づいて再生開始からの経過時間がカウントされている。再生中の楽曲群全体の残りの再生時間は、再生中の楽曲群の個々の楽曲データの再生時間の合計から再生開始からの経過時間が減算されることにより算出される。
【００４０】
再生中の楽曲群全体の残りの再生時間が算出されると、算出された残りの再生時間に基づいて、スリープタイマ開始時点から再生終了時点までの各時点における再生音量が決定される（ステップＳ３）。そして、処理はステップＳ８に移行する。
【００４１】
図３（ａ）〜図３（ｃ）に、ステップＳ３において決定されるスリープタイマ開始時点から再生終了時点までの各時点の再生音量の例を示す。縦軸は再生音量を示し、横軸は再生開始からの経過時間及び再生される楽曲を示す。図３（ａ）〜図３（ｃ）では、再生対象の楽曲群として指定された楽曲数が５の場合を一例として示している。
ステップＳ３においては、スリープタイマ開始時点では予め設定されている再生音量とし、再生時間の経過とともに徐々に再生音量が小さくなり、再生終了時点で再生音量が最小となるように各時点の再生音量が決定される。本実施の形態において、再生終了時点の再生音量は無音とするが、予め操作部１３により設定できる構成としてもよい。決定された各時点の再生音量は、システムマイコン１０のＲＡＭに記憶される。
図３（ａ）は、スリープタイマ開始から直線的に再生音量を小さくするように決定した場合の例を示したものである。図３（ｂ）は、指数関数的に再生音量を小さくするように決定した場合の例を示したものである。また、図３（ｃ）は、再生終了時点より所定時間前より再生音量を小さくするように決定した場合の例である。図３（ａ）に示すように再生音量を決定した場合、再生音量の変化が一定となるので、ユーザは違和感なく音楽を楽しむことができる。図３（ｂ）、（ｃ）に示すように再生音量を決定した場合、再生終了間近まで音声音量の変化がほとんどないか又は全くないので、ユーザは再生終了間近まで、ほぼ予め設定された音量で音楽を楽しむことができる。
【００４２】
一方、ステップＳ１において、楽曲群の再生中ではないと判断されると（ステップＳ１；ＮＯ）、操作部１３からの再生対象となる楽曲群の指定が待機され、操作部１３から再生対象となる楽曲群が指定されると（ステップＳ４）、指定された楽曲群全体の再生時間が算出される（ステップＳ５）。
【００４３】
ここで、再生対象の楽曲群としては、ＣＤメカ部１６にセットされているＣＤに記録されている楽曲データ（１曲、複数、又は全て）、記憶部１１や外部Ｉ／Ｆ２３を介した携帯型再生装置やメモリカード、ＵＳＢメモリ等に記憶されている楽曲データ、プレイリスト情報等の中から一又は複数を指定することが可能である。また、指定したフォルダやＣＤに記録されている楽曲データのランダム再生、指定した楽曲データのリピート再生等も指定が可能である。
また、再生時間の算出は、記憶部１１に記憶されている楽曲情報や楽曲データに付与されているタグ情報又はＣＤメカ部１６にセットされているＣＤのＴＯＣ情報に含まれる、指定された楽曲データの個々の再生時間を合計することにより算出される。
【００４４】
再生時間が算出されると、算出された再生時間に基づいて、再生開始時点から再生終了時点までの各時点における再生音量が決定され（ステップＳ６）、指定された楽曲群の再生が開始される（ステップＳ７）。そして、処理はステップＳ８に移行する。
【００４５】
図３（ｂ）〜図３（ｄ）に、ステップＳ６において決定される再生開始時点から再生終了時点までの各時点の再生音量の例を示す。縦軸は再生音量を示し、横軸は再生開始からの経過時間及び再生される楽曲を示す。図３（ｂ）〜図３（ｄ）では、再生対象として指定された楽曲数が５の場合を一例として示している。
ステップＳ４においては、再生開始時点では予め設定されている再生音量とし、再生時間の経過とともに徐々に再生音量が小さくなり、再生終了時点で再生音量が最小となるように各時点の再生音量が決定される。本実施の形態において、再生終了時点の再生音量は無音とするが、予め操作部１３により設定できる構成としてもよい。決定された各時点の再生音量は、システムマイコン１０のＲＡＭに記憶される。
図３（ｄ）は、再生開始時点から直線的に再生音量を小さくするように決定した場合の例を示したものである。図３（ｂ）は、指数関数的に再生音量を小さくするように決定した場合の例を示したものである。また、図３（ｃ）は、再生終了時点より所定時間前より再生音量を小さくするように決定した場合の例を示したものである。図３（ｄ）に示すように再生音量を決定した場合、再生音量の変化が一定となるのでユーザは違和感なく音楽を楽しむことができる。図３（ｂ）、（ｃ）に示すように再生音量を決定した場合、再生終了間近まで音声音量の変化がほとんどないか又は全くないので、再生終了間近まで、ユーザはほぼ予め設定された音量で音楽を楽しむことができる。
【００４６】
ステップＳ８においては、ＲＡＭに記憶された現時点の再生音量で音声を出力するように増幅部２１が制御される（ステップＳ８）。再生が終了するまでステップＳ８の制御は繰り返し実行される。再生が終了すると（ステップＳ９；ＹＥＳ）、電源部２５による電源供給が遮断されることによりオーディオ装置１の電源がＯＦＦされ（ステップＳ１０）、音量・電源制御処理は終了する。
【００４７】
なお、上記スリープタイマ機能の動作中における再生時に、再生対象の楽曲群がプラス１曲、マイナス１曲等増減された場合、システムマイコン１０において、楽曲群が増減された時点から再生終了時点までの残りの再生時間が算出され、算出された再生時間に基づいて、再度再生終了時点までの各時点の再生音量が決定され、音量制御が行われる。各時点の再生音量は、楽曲を増減した時点の再生音量の値から徐々に音量を小さくし、再生終了時点で音量が無音となるように決定される。
【００４８】
また、途中で操作部１３により再生音量の設定値が変更された場合、システムマイコン１０において、再生音量の設定が変更された時点から再生終了時点までの残りの再生時間が算出され、算出された再生時間に基づいて、再度再生終了までの各時点の再生音量が決定され、音量制御が行われる。各時点の再生音量は、再生音量の変更時点の設定値から徐々に音量を小さくし、再生終了時点で音量が最低となるように決定される。
【００４９】
また、途中でスリープタイマ機能がＯＦＦに設定された場合、システムマイコン１０により、再生音量は元の設定値に戻される。
【００５０】
また、イルミネーションがＯＮに設定されている場合、上記音量・電源制御処理において、再生音量の制御に応じて発光部２４の光量が制御される。上述のように、再生音量とイルミネーションの光量は対応しているので、システムマイコン１０は、増幅部２１における再生音量に応じた光量で発光部２４を発光させる。このように、再生音量に応じて発光部２４における光量を変化させることで、再生される音量に応じてイルミネーションを変化させることができる。
【００５１】
以上説明したように、システムマイコン１０は、操作部１３によりスリープタイマ機能がＯＮに設定されると、再生対象として指定された楽曲群の残りの再生時間を算出し、算出された再生時間に基づいて、再生時間の経過とともに徐々に再生音量を小さくしていき、再生終了時点で再生音量を無音とするように各時点の再生音量を決定し、決定された再生音量に従って増幅部２１により出力される音量を制御する。指定された楽曲群の再生が終了すると、システムマイコン１０は、電源部２５による電源供給を遮断してオーディオ装置１の電源をＯＦＦにする。
【００５２】
従って、ユーザにより指定された楽曲群の再生を中断することなく、オーディオ装置１の省力化、操作性の向上を図ることができる。
即ち、指定された楽曲群の再生が途中であるのにもかかわらず再生が終了してしまうことがなくなるので、ユーザは、従来のスリープタイマ機能のように、継続して聴きたい曲を再度操作部１３により指定する操作をしたり、スリープタイマ機能を設定する際に、指定した楽曲群が終了するまでの時間を計算して時間や時刻を設定する操作をしたりすることなく、最後まで指定した楽曲群を楽しむことができるようになる。また、指定した楽曲群の再生が終了すると、装置の電源が自動的にＯＦＦされるので、消費電力を低減させることができる。
また、再生終了時点に向かって徐々に再生音量がフェードアウトしていくため、突然再生が終了する違和感をなくすことができる。
【００５３】
なお、上記実施の形態における記述は、本発明に係るオーディオ装置１の好適な一例であり、これに限定されるものではない。
【００５４】
例えば、上記実施の形態では、再生装置をオーディオ装置とし、再生対象のコンテンツを楽曲データとして説明したが、これに限定されるものではない。例えば、再生装置が映像を再生可能なＤＶＤプレーヤ等である場合は、再生対象のコンテンツは映像データとする等、他のコンテンツとしてもよい。
【００５５】
また、リピート再生が指定されている場合は、スリープタイマ機能におけるリピート回数に上限を設けるようにしてもよい。また、スリープタイマ機能の開始後に再生する曲数や再生時間に上限を設けるようにしてもよい。
【００５６】
その他、上記実施の形態におけるオーディオ装置１の細部構成及び詳細動作に関しても、本発明の趣旨を逸脱しない範囲で適宜変更可能である。
【符号の説明】
【００５７】
１  オーディオ装置
１０  システムマイコン
１１  記憶部
１２  表示部
１３  操作部
１４  外部入力端子
１５  チューナ
１６  ＣＤメカ部
１７  セレクタ
１８  ＡＤＣ
１９  ＤＳＰ
１９ａ  エンコーダ
１９ｂ  デコーダ
２０  ＤＡＣ
２１  増幅部
２２  出力部
２３  外部Ｉ／Ｆ
２４  発光部
２５  電源部
【図１】
2010198692.tif 000003
【図２】
2010198692.tif 000004
【図３】
2010198692.tif 000005
【図４】
2010198692.tif 000006